(57)【要約】【課題】利用者がＬＣＤに表示している画面よりも大きな仮想画面上を直感的にスクロールさせ、自由にポインティングすることができる機能を有する携帯端末を提供する。【解決手段】表面側に表示部を備えた携帯端末において、裏面側に表示部の表示面上のカーソルを移動させるマウス機能が備えられている。平面上で携帯端末を所望の方向に移動させることによりマウス機能が動作をし、表示部に表示されたカーソルが表示部の表示画面上を移動する。マウス機能の動作の長さ及び速さによる任意の演算結果は、カーソルの移動の長さ及び速さに対して任意の倍率に設定される。【選択図】      図３
2004234587.tif 000002
【特許請求の範囲】
【請求項１】
表面側に表示部を備えた携帯端末において、
該携帯端末の裏面側に前記表示部の表示面上のカーソルを移動させるマウス機能が備えられ、
該携帯端末を配置した平面上で当該携帯端末を所望の方向に移動させることにより前記マウス機能が動作をし、
前記マウス機能の動作に連動して前記表示部に表示されたカーソルが前記表示部の表示画面上を移動する携帯端末であって、
該携帯端末には、カーソル指示ボタンが備えられ、該カーソル指示ボタンを押下しながらまたは押下後当該携帯端末を前記平面上で移動させることにより前記マウス機能の動作が可能となるように構成され、
前記マウス機能の動作の長さは、カーソルの移動の長さに対して任意の倍率に設定されて、
前記マウス機能の動作の長さ及び速さによる任意の演算結果は、カーソルの移動の長さ及び速さに対して任意の倍率に設定されるように構成された携帯端末。
【発明の詳細な説明】
【０００１】
【発明の属する技術分野】
本発明は、携帯電話，ＰＤＡ等の比較的小さなＬＣＤを持つ携帯情報機器等の携帯端末に関するもので、特にその情報表示機能に関するものである。
【０００２】
【従来の技術】
従来、携帯電話機，ＰＤＡ（Ｐｅｒｓｏｎａｌ  Ｄｉｇｉｔａｌ  Ａｓｓｉｓｔａｎｔｓ  ）等の携帯端末は、ＰＣ（Ｐｅｒｓｏｎａｌ  Ｃｏｍｐｕｔｅｒ  ）などと比較して比較的小さなＬＣＤ（Ｌｉｑｕｉｄ  Ｃｒｙｓｔａｌ  Ｄｉｓｐｌａｙ：液晶ディスプレイ）しか備えていないため、多くの情報を表示するためには、画面スクロール等の機能によってＬＣＤに表示している画面よりも大きな仮想画面上の情報を閲覧する方式が取られてきた。
【０００３】
従来方式では、カーソルキーやダイヤル，スティック上のレバー等を使用して利用者が画面のスクロール情報を入力する形式が採用されており、スクロール方向，スクロール量を直感的にコントロールすることができなかった。
この欠点を解消するものとして、機器を机の上で平行移動させることによって、画面のスクロールや座標のポインティング操作などを可能とした携帯情報機器が提案されている（例えば、特許文献１参照）。
【０００４】
【特許文献】
特開２０００−２９５６８号公報
【０００５】
【発明が解決しようとする課題】
しかし、このような携帯情報機器においては、操作容易にして簡単な構成により、機器の移動距離と表示画面上のスクロールの比率である表示倍率の制御を行う技術，手法については提案されていない。
【０００６】
本発明の目的は、上記問題点を解決し、利用者がＬＣＤに表示している画面よりも大きな仮想画面上を直感的にスクロールさせ、自由にポインティングすることができる機能を有する携帯端末を提供することにある。
【０００７】
【課題を解決するための手段】
この目的を解決するために、本発明による携帯端末は、表面側に表示部を備えた携帯端末において、
該携帯端末の裏面側に前記表示部の表示面上のカーソルを移動させるマウス機能が備えられ、
該携帯端末を配置した平面上で当該携帯端末を所望の方向に移動させることにより前記マウス機能が動作をし、
前記マウス機能の動作に連動して前記表示部に表示されたカーソルが前記表示部の表示画面上を移動する携帯端末であって、
該携帯端末には、カーソル指示ボタンが備えられ、該カーソル指示ボタンを押下しながらまたは押下後当該携帯端末を前記平面上で移動させることにより前記マウス機能の動作が可能となるように構成され、
前記マウス機能の動作の長さは、カーソルの移動の長さに対して任意の倍率に設定されて、
前記マウス機能の動作の長さ及び速さによる任意の演算結果は、カーソルの移動の長さ及び速さに対して任意の倍率に設定されるように構成されている。
【０００８】
【発明の実施の形態】
本発明による携帯端末の上面斜視図と底面斜視図をそれぞれ示す図１，図２において、１は携帯情報機器の如き携帯端末、２は上面に配置されたＬＣＤ、３はＬＣＤ２上に表示される十字線の如きカーソル、４は底面の中央部に配置された光学センサ、５は右側面に配置されたスクロールロック解除をしてカーソルを指示させるカーソル指示ボタン、６は右側面に配置された選択ボタン、７は上面側に配置されたテンキー等である。
【０００９】
実施例として携帯情報機器（携帯端末と略称する）１上に表示される画面の例を、図３を参照して説明する。
▲１▼  利用者は、この携帯端末１を走査面となる平坦な机の上に置いて使用する。
携帯端末１のＬＣＤ２はこの時上面を向き、仮想画面８の一部を利用者に表示している。
▲２▼  携帯端末１はスクロール誤動作防止のため、利用者がスクロールロック解除用のカーソル指示ボタン５を押している間のみ次の▲３▼〜▲４▼に示す画面制御を行う。
▲３▼  利用者が携帯端末１を机の上に任意の方向にスライドさせると、光学センサ４がスライド方向とスライド量とを検出し、ＬＣＤ２上の仮想画面８を携帯端末１全体とは逆方向にスクロールさせる。
この時スクロール量は、携帯端末１全体のスライド量と同じになるように制御する。このような画面制御を行うことによって、利用者は、固定された仮想画面８を携帯端末１のＬＣＤ２から覗き込むような感覚でスクロールさせることができる。
▲４▼  ＬＣＤ２の中央には、ポインティングデバイスとして使用するための十字線状カーソル３が常に表示され、利用者は▲３▼の要領で携帯端末１全体を机上でスライドさせ、仮想画面８の中で選択したいフィールドをＬＣＤ２の中央に移動させて、十字線状カーソル３の下にフィールド９が表示された状態で選択ボタン６を押下する。
【００１０】
ここで、もし選択フィールドに文字入力が必要な場合、利用者がスクロールロック解除をするカーソル指示ボタン５を離してテンキー７等で文字入力を行うこともできる。
【００１１】
次に、マウスの機能を有する携帯端末１の移動距離に対する表示画面上におけるスクロールの比率（表示倍率）の制御動作について説明する。
携帯端末１の移動距離とＬＣＤ表示画面８上のカーソル３の移動長との比率により定まる表示倍率は、任意の値に設定される。
【００１２】
図４は、この表示倍率制御の手順例を示すフローチャートである。
倍率設定手順を開始する際には、前記仮想画面のスクロールを停止させるために、利用者が“倍率設定の操作”をテンキー等により行うことができる。
この前記倍率設定中は、ＬＣＤ２の表示を倍率変更（後述のステップＳ５）の度毎に更新表示を行い、利用者は画面を見ながら倍率設定手順中は任意の時点で利用者がテンキー等により“決定操作”を行うことにより、その時点で指定された倍率を固定して、装置は仮想画面のスクロールを再開する。
常時は、「通常のスクロール制御」を行う状態にあり（Ｓ８）、倍率設定手順を開始するときには、ステップＳ０の出力状態がＹＥＳとなり、次のように動作する。
▲１▼  動作開始時にはまず、装置の現在幾（装置の光学センサ４による机上のイメージ画像）を検出する（Ｓ１）。
▲２▼  装置の移動が開始されると（Ｓ２）、装置の移動方向が検出されるが、図５に示すように、倍率の現在値を１００％としてプラス方向またはマイナス方向が決定される（Ｓ３）。すなわち、プラス方向に装置をスライドさせればＬＣＤ２の表示倍率が拡大（１０１〜無限％）され、マイナス方向に装置をスライドさせればＬＣＤ２の表示倍率を縮小（０１〜９９％）する制御を行う。もし設置が停止していれば、表示倍率は１００％となり現状の倍率で表示を続ける。
▲３▼  装置の移動距離を測定検出する動作と装置の移動時間を測定検出する動作が開始される（Ｓ４）。
▲４▼  装置の移動速度は、ステップ４にけおる移動距離（Ｄ）と移動時間（Ｔ）のデータ従ってＤ／Ｔにより算出される。
装置の移動速度に応じて現在の表示倍率の変更を行うが、このとき装置の移動速度が大きいほど拡大，縮小の変化率が大きくなるように変更が行われる。
【００１３】
図６は移動速度と倍率との対応関係例を示す特性図であり、移動速度が遅いほど倍率の変化率は大である。
（例１）速度ｖ１で装置をスライドさせれば、ＬＣＤ２の表示倍率は１５０％に拡大されるが、より速い速度ｖ２で装置をスライドさせれば、ＬＣＤ２の表示倍率は２００％に拡大される。
（例２）同じようにマイナス方向に速度ｖ３で装置をスライドさせれば、ＬＣＤ２の表示倍率は５０％に縮小されるが、より速い速度ｖ４で装置をスライドさせれば、ＬＣＤ２の表示倍率は２５％に縮小される。
以上の図５，図６の如き特性図を参照して、移動速度の演算処理を行うことができる。
以下、この停止した位置の倍率を１００％として同様の動作が行われる（Ｓ６，Ｓ７）。
【００１４】
いずれにしても、カーソル３の位置を常に座標上に捉えていることが必要である。停止しているカーソル３の座標の他に、移動した場合でもその際、どこに座標があるかを常に検出している。
従って、机上等より離れた場合などは、その時点でストップ（カーソル停止）したものとなる。
【００１５】
【発明の効果】
以上詳細に説明したように、本発明によれば、小型のＬＣＤを持った携帯情報機器にマウスの機能を組合せ、装置自体をスライドさせることによって、ＬＣＤに表示している画面よりも大きな仮想画面上の情報を直感的に表示，選択することが可能になり利用者の利便性が向上することになる。
【図面の簡単な説明】
【図１】本発明装置の構成例を示す上面斜視図である。
【図２】本発明装置の構成例を示す底面斜視図である。
【図３】本発明装置の使用状態を説明するための平面図である。
【図４】本発明における表示倍率制御の手順例を示すフローチャートである。
【図５】カーソルの移動距離に対する表示倍率の関係例を示す特性図である。
【図６】カーソルの移動速度に対する表示倍率の関係例を示す特性図である。
【符号の説明】
１  携帯情報機器
２  ＬＣＤ
３  ＬＣＤ上のカーソル
４  光学センサ
５  カーソル指示ボタン
６  選択ボタン
７  テンキー等
【図１】
2004234587.tif 000003
【図２】
2004234587.tif 000004
【図３】
2004234587.tif 000005
【図４】
2004234587.tif 000006
【図５】
2004234587.tif 000007
【図６】
2004234587.tif 000008